(57)【要約】【課題】連結する単位装飾体の動きの自由度を高め、装飾部のデザイン変化をバリエーションに富んだものとすることができ、またチェーン状の止め具を通し易く、しかも単位装飾体の止め具への係脱が簡単に行えるようにした変形可能な装身具を提供する。【解決手段】この発明の変形可能な装身具は、複数の単位装飾体で形成された装飾部と、この装飾部の吊下げ具とで形成され、前記単位装飾体は隣り合う単位体同士が互いに首振り自在に連結され、またその両端に前記吊下げ具に係合するフックが形成されており、前記吊下げ具は、前記フックを挿通する開口部と、この開口部に連通する端部が閉じた複数のスライド溝とが形成されており、前記開口部からスライド溝へ前記フックを挿通した上、少なくともそのうちの１つのスライド溝を閉鎖し、かつ他のスライド溝には他の単位装飾体に取付けたフックを着脱可能に挿通することができるようにしたことを特徴とする。【選択図】 図１
2010022468.tif 000002
【特許請求の範囲】
【請求項１】
複数の単位装飾体で形成された装飾部と、この装飾部の吊下げ具とで形成され、
前記単位装飾体は隣り合う単位体同士が互いに首振り自在に連結され、またその両端に前記吊下げ具に係合するフックが形成されており、
前記吊下げ具は、前記フックを挿通する開口部と、この開口部に連通する端部が閉じた複数のスライド溝とが形成されており、
前記開口部からスライド溝へ前記フックを挿通した上、少なくともそのうちの１つのスライド溝を閉鎖し、
かつ他のスライド溝には他の単位装飾体に取付けたフックを着脱可能に挿通することができるようにしたことを特徴とする変形可能な装身具。
【請求項２】
前記複数のスライド溝が、前記吊下げ具の側面にそれぞれ吊下げ具の厚さ方向に位置をずらして設けられていることを特徴とする請求項１に記載の変形可能な装身具。
【請求項３】
前記単位装飾体の両端に形成した前記吊下げ具に係合するフックが、前記吊下げ具の側面に吊下げ具の厚さ方向に位置をずらして設けられたスライド溝に対応して、前記単位装飾体の所定の位置に形成されていることを特徴とする請求項２に記載の変形可能な装身具。
【請求項４】
前記スライド溝の少なくとも１つに形成した閉鎖手段が、前記開口部もしくはスライド溝の適所に交差するよう取付けた脱落防止ピンであることを特徴とする請求項１に記載の変形可能な装身具。
【請求項５】
複数の単位装飾体が、その両端に形成したフックを前記吊下げ具の複数のスライド溝にそれぞれ挿通して連結することによりリング状に、また１端に形成したフックを前記吊下げ具の特定のスライド溝に挿通することにより直線状に、前記吊下げ具に吊り下げられるようにしたことを特徴とする請求項１に記載の変形可能な装身具。
【発明の詳細な説明】
【技術分野】
【０００１】
この発明はペンダント、イヤリング、ブレスレット、ブローチ等の変形可能な装身具に関し、更に詳しくは複数の単位装飾体で構成し、各単位装飾体を変形自在に連結できるようにした変形可能な装身具に関するものである。
【背景技術】
【０００２】
従来この種の装身具としては、特開２００５−２２４４９３号公報（特許文献１参照）に示すような、複数の装飾用単位体で形成した装飾部と、チェーン等からなるこの装飾部の止め具とで形成したものが知られている。
そして、装飾用単位体は隣り合う単位体同士を互いに回動自在に連結するための連結部材を備え、この連結部材の一端側を一方の装飾用単位体に、他端側を他方の装飾用単位体に、装飾用単位体の前後方向に延びる軸でそれぞれ枢着している。使用に際しては、装飾用単位体を輪状に連結して装飾部を形成し、その内の任意の装飾用単位体にチェーン等からなる止め具を通して吊下げるものである。
また、特許第３０２１４４４号公報（特許文献２参照）には、複数の単位体でなる装飾部と、この装飾部の止め具とで形成し、単位体は隣り合う単位体同士を連結部材で互いに回動自在に連結し、止め具３を着用時に装飾部の任意の単位体に止め付ける変形自在の装身具が示されている。
そして、上記の連結部材を、単位体間に露出する軸部と、この軸部の両端に設けたリング状の係合部とで形成し、この係合部を単位体の周側面に沿って環状に設けた案内杆５に輪通しするよう構成している。
さらに、実開平３−３１３１０号公報（特許文献３参照）には、チェーン等への係止具と、両端部に孔を有するリンク部材と、リンク部材の孔に挿通可能なビンとからなり、隣接するリンク部材の孔を重ね合わせ、その孔にビンを挿入し、ピンを支点として互いに回勤自在としたリンク部材を複数個順次連結し、この連結したリンク部材に前記係止具を取付け、ピンの両端部をかしめて膨出部としたことを特徴とする変形装身具が記載されている。
【特許文献１】特開２００５−２２４４９３号公報
【特許文献２】特許第３０２１４４４号公報
【特許文献３】実開平３−３１３１０号公報
【発明の開示】
【発明が解決しようとする課題】
【０００３】
さて、特許文献１記載の装身具は、装飾用単位体を輪状に連結して装飾部を形成する場合、その内の任意の装飾用単位体にチェーン等からなる止め具を通して吊下げるものであるため、装飾用単位体の係合位置に応じてチェーン等からなる止め具が変形してしまい、装身具全体の装飾性がお損なわれてしまうという問題があった。
【０００４】
また特許文献２記載の装身具も、装飾用単位体を輪状に連結して装飾部を形成する場合、その内の任意の装飾用単位体にチェーン等からなる止め具を通して吊下げるものであるため、特許文献１の装身具の場合と同様の問題があった（図２参照）。
さらに特許文献３記載の装身具においては、ピンを支点として互いに回勤自在としたリンク部材を複数個順次連結したものであるため、連結部位がギクシャクした感じになってしまい装飾性に難点があった。
【０００５】
この発明は、このような従来技術の問題点に鑑み、提案されたものである。
したがってこの発明の解決しようとする技術的課題は、連結する単位装飾体の動きの自由度を高め、装飾部のデザイン変化をバリエーションに富んだものとすることができ、またチェーン状の止め具を通し易く、しかも単位装飾体の止め具への係脱が簡単に行えるようにした変形可能な装身具を提供することにある。
【課題を解決するための手段】
【０００６】
すなわちこの発明の変形可能な装身具は、複数の単位装飾体で形成された装飾部と、この装飾部の吊下げ具とで形成され、
前記単位装飾体は隣り合う単位体同士が互いに首振り自在に連結され、またその両端に前記吊下げ具に係合するフックが形成されており、
前記吊下げ具は、前記フックを挿通する開口部と、この開口部に連通する端部が閉じた複数のスライド溝とが形成されており、
前記開口部からスライド溝へ前記フックを挿通した上、少なくともそのうちの１つのスライド溝を閉鎖し、
かつ他のスライド溝には他の単位装飾体に取付けたフックを着脱可能に挿通することができるようにしたことを特徴とするものである。
【０００７】
この発明の変形可能な装身具は、前記複数のスライド溝が、前記吊下げ具の側面にそれぞれ吊下げ具の厚さ方向に位置をずらして設けられていることをも特徴とするものである。
【０００８】
この発明の変形可能な装身具は、前記単位装飾体の両端に形成した前記吊下げ具に係合するフックが、前記吊下げ具の側面に吊下げ具の厚さ方向に位置をずらして設けられたスライド溝に対応して、前記単位装飾体の所定の位置に形成されていることをも特徴とするものである。
【０００９】
この発明の変形可能な装身具は、前記スライド溝の少なくとも１つに形成した閉鎖手段が、前記開口部もしくはスライド溝の適所に交差するよう取付けた脱落防止ピンであることをも特徴とするものである。
【００１０】
この発明の変形可能な装身具は、複数の単位装飾体が、その両端に形成したフックを前記吊下げ具の複数のスライド溝にそれぞれ挿通して連結することによりリング状に、また１端に形成したフックを前記吊下げ具の特定のスライド溝に挿通することにより直線状に、前記吊下げ具に吊り下げられるようにしたことをも特徴とするものである。
【発明の効果】
【００１１】
この発明の装身具は、複数の単位装飾体の両端に形成したフックを吊下げ具の複数のスライド溝にそれぞれ挿通して連結することによりリング状に、また１端に形成したフックを前記吊下げ具の特定のスライド溝に挿通することにより直線状に、前記吊下げ具に吊り下げられるようにしたものである。
したがってこの発明の装身具によれば、連結する単位装飾体の動きの自由度を高めることができ、また吊下げ具の表面に装飾性を持たせることにより、大幅にデザインのバリエーションを増大させることもできる。
さらに、吊下げ具のスライド溝の数を増やすことによって単位装飾体との連結部位を増やすことができ、したがって複数の単位装飾体を用いて簡単にデザインのバリエーションを増やすこともできる。
【発明を実施するための最良の形態】
【００１２】
以下、この発明の変形可能な装身具を実施するための実施の形態を詳細に説明する。
図１はこの発明の変形可能な装身具を構成する吊下げ具の１実施例を示す斜視図、図２は吊下げ具を反対側から見た斜視図、図３は吊下げ具の上面図、図４は吊下げ具の底面図、図５は吊下げ具に単位装飾体を取付ける際の側面図、図６は反対側の単位装飾体を示す側面図、図７（ａ）は吊下げ具に５つの単位装飾体を直線状に吊下げた場合の正面図、（ｂ）はそれを連結してリング状とした状態を示す正面図、図８（ａ）は吊下げ具に４つの単位装飾体を直線状に吊下げた場合の正面図、（ｂ）はそれを連結して四角形に形成した状態を示す正面図、図９（ａ）は吊下げ具に両端に連結ピースを介して３つの単位装飾体を直線状に吊下げた場合の正面図、（ｂ）はそれを連結してリング状とした状態を示す正面図、図１０（ａ）は吊下げ具に形態の異なる３つの単位装飾体を直線状に吊下げた場合の正面図、（ｂ）はそれを連結して所定のモチーフを形成した状態を示す正面図、図１１（ａ）は吊下げ具に特異な形態の３つの単位装飾体を直線状に吊下げた場合の正面図、（ｂ）はそれを連結して所定のモチーフを形成した状態を示す正面図である。
【００１３】
図１ないし図６において、この発明の変形可能な装身具は、複数の単位装飾体１１で形成された装飾部と、この装飾部の吊下げ具１２とで形成されている。この単位装飾体１１は図７ないし図９、図１０および図１１に示すような種々の形態とすることができ、もちろんそれ以外の形態を採用することも可能である。前記単位装飾体１１は隣り合う単位体同士が互いに首振り自在に連結され、またその両端に前記吊下げ具１２に係合するフック１３が形成されている。
【００１４】
吊下げ具１２は図１ないし図４に示すような構造となっている。すなわち、単位装飾体１１（図５および図６参照）に取付けられた前記フック１３を挿通する開口部２１，２２と、この開口部２１，２２に連通する端部が閉じた複数のスライド溝２３，２４とが形成されている。そして各スライド溝２３，２４は吊下げ具１２の厚さ方向に位置をずらして形成されていて、互いに交差することがない。
２５は開口部２１，２２間を仕切る架橋部で、吊下げ具１２に挿通するチェーン類３１を係合するために機能するとともに、前記吊下げ具１２はこの架橋部２５と複数のスライド溝２３，２４との間の連続部２６とで各スライド溝２３，２４部分の剛性を保ち、その変形等を防止している。
前記吊下げ具１２の表面には、図１ないし図４では省略されているが、適宜の宝石が搭載されていることが望ましい。
【００１５】
前記スライド溝２３，２４の一方のスライド溝２３は、開口部２１との境界部分に閉鎖手段が形成されている。図ではこの閉鎖手段として前記開口部２１およびスライド溝２３の境界部分に交差するよう取付けた脱落防止ピン２７が採用されている。このように、前記開口部２１からスライド溝２３へ前記フック１３を挿通した上、このスライド溝２３を脱落防止ピン２７で閉鎖することにより、単位装飾体１１からなる装飾部が吊下げ具１２から抜け落ちることがない。
【００１６】
前記単位装飾体１１の両端に形成した前記吊下げ具１２に係合するフック１３は、前記吊下げ具１２の側面において、吊下げ具１２の厚さ方向に位置をずらして設けられたスライド溝２３，２４に対応して、前記単位装飾体１１の所定の位置に形成されている。すなわち、単位装飾体１１の一端に取付けたフック１３−１はスライド溝２３に対応して単位装飾体１１の厚さ方向の一方の側に、単位装飾体１１の他端に取付けたフック１３−２はスライド溝２４に対応して単位装飾体１１の厚さ方向の他方の側にそれぞれ取付けられている。
【００１７】
したがって、単位装飾体１１の一端に取付けたフック１３−１をスライド溝２３に上述のように抜け落ちないように取付けられており、また単位装飾体１１の他端に取付けたフック１３−２は、前記スライド溝２４へ開口部２２から着脱自在に挿通することができるようになっている。
もちろん、前記スライド溝２４に係合されたフック１３−２は、単位装飾体１１等の自重により開口部２２から簡単に抜け落ちることはない。
【００１８】
ちなみに、この発明の変形可能な装身具は、図７ないし図９に示すような形態で利用される。
すなわち、図７（ａ）のように吊下げ具１２には５つの単位装飾体１１が直線状に吊下げて使用される。このとき、単位装飾体１１の一端に取付けたフック１３−１は前記スライド溝２３に上述のように抜け落ちないように取付けられている。
また図７（ｂ）のように、吊下げ具１２に５つの単位装飾体１１の両端を連結してほぼ五角形のリング状にすることもできる。このとき、単位装飾体１１の他端に取付けたフック１３−２は前記スライド溝２４へ開口部２２を通して係合されている。
【００１９】
この発明の変形可能な装身具は、図８（ａ）のように吊下げ具１２に４つの単位装飾体１１を直線状に吊下げて使用することができる。このとき、単位装飾体１１の一端に取付けたフック１３−１は前記スライド溝２３に上述のように抜け落ちないように取付けられている。
また図８（ｂ）のように、吊下げ具１２に４つの単位装飾体１１の両端を連結して四角形の形状にすることもできる。このとき、単位装飾体１１の他端に取付けたフック１３−２は前記スライド溝２４へ開口部２２を通して係合されている。
【００２０】
この発明の変形可能な装身具は、図９（ａ）のように吊下げ具１２に、両端に連結ピース２８を介して３つの単位装飾体１１を直線状に吊下げて使用することができる。このとき、一端の連結ピース２８に取付けたフック１３−１は前記スライド溝２３に上述のように抜け落ちないように取付けられている。
そして、図９（ｂ）のように、吊下げ具１２に３つの単位装飾体１１の両端を連結して四角形の形状にすることもできる。このとき、他端の連結ピース２８に取付けたフック１３−２は前記スライド溝２４へ開口部２２を通して係合されている。
【００２１】
この発明の変形可能な装身具は、図１０（ａ）のように吊下げ具１２に形態の異なる３つの単位装飾体３１，３２，３３を直線状に吊下げて使用することができる。このとき、単位装飾体３１に取付けたフック１３−１は前記スライド溝２３に上述のように抜け落ちないように取付けられている。
また図１０（ｂ）のように、吊下げ具１２に３つの単位装飾体３１，３２，３３の両端を連結してハート形の形状にすることもできる。このとき、３つの単位装飾体３１，３２，３３の他端に取付けたフック１３−２は前記スライド溝２４へ開口部２２を通して係合されている。
【００２２】
この発明の変形可能な装身具は、図１１（ａ）のように吊下げ具１２に同一形態の３つの単位装飾体４１を直線状に吊下げて使用することができる。このとき、単位装飾体４１に取付けたフック１３−１は前記スライド溝２３に上述のように抜け落ちないように取付けられている。
また図１１（ｂ）のように、吊下げ具１２に３つの単位装飾体４１の両端を連結して円形の形状にすることもできる。このとき、３つの単位装飾体４１の他端に取付けたフック１３−２は前記スライド溝２４へ開口部２２を通して係合されている。
【産業上の利用可能性】
【００２３】
この発明の変形可能な装身具は、吊下げ具に適宜形態の単位装飾体を吊下げるようにして使用することができるようになっている。
したがって、吊下げ具の架橋部にチェーン類を挿通することによりネックレスやペンダント等として、また吊下げ具の背面にピンを突設してピアス等として、あるいは安全ピン状のピンを取り付けてブローチ等としても使用することが可能である。
【図面の簡単な説明】
【００２４】
【図１】この発明の変形可能な装身具を構成する吊下げ具の１実施例を示す斜視図である。
【図２】吊下げ具を反対側から見た斜視図である。
【図３】吊下げ具の上面図である。
【図４】吊下げ具の底面図である。
【図５】吊下げ具に単位装飾体を取付ける際の側面図である。
【図６】反対側の単位装飾体を示す側面図である。
【図７】（ａ）は吊下げ具に５つの単位装飾体を直線状に吊下げた場合の正面図、（ｂ）はそれを連結してリング状とした状態を示す正面図である。
【図８】（ａ）は吊下げ具に４つの単位装飾体を直線状に吊下げた場合の正面図、（ｂ）はそれを連結して四角形に形成した状態を示す正面図である。
【図９】（ａ）は吊下げ具に両端に連結ピースを介して３つの単位装飾体を直線状に吊下げた場合の正面図、（ｂ）はそれを連結してリング状とした状態を示す正面図である。
【図１０】（ａ）は吊下げ具に形態の異なる３つの単位装飾体を直線状に吊下げた場合の正面図、（ｂ）はそれを連結して所定のモチーフを形成した状態を示す正面図である。
【図１１】（ａ）は吊下げ具に特異な形態の３つの単位装飾体を直線状に吊下げた場合の正面図、（ｂ）はそれを連結して所定のモチーフを形成した状態を示す正面図である。
【符号の説明】
【００２５】
１１  単位装飾体
１２  吊下げ具
１３，１３−１，１３−１  フック
２１，２２  開口部
２３，２４  スライド溝
２５  架橋部
２６  連続部
２７  脱落防止ピン
２８  連結ピース
３１，３２，３３  単位装飾体
４１  単位装飾体
【図１】
2010022468.tif 000003
【図２】
2010022468.tif 000004
【図３】
2010022468.tif 000005
【図４】
2010022468.tif 000006
【図５】
2010022468.tif 000007
【図６】
2010022468.tif 000008
【図７】
2010022468.tif 000009
【図８】
2010022468.tif 000010
【図９】
2010022468.tif 000011
【図１０】
2010022468.tif 000012
【図１１】
2010022468.tif 000013